(57)【特許請求の範囲】
【請求項１】
人体の皮膚に一対の電極を貼着して筋肉を運動させる痩身具において、電極から中周波信号を出力し、中周波信号の出力波形のピーク値と低周波信号の立ち上がり途中の値と一致するように低周波信号を出力することを特徴とする痩身具。
【請求項２】
一対の電極を一体的に有すると共にそれぞれに識別符号を有した子機を複数有し、これら子機を全体的にあるいは個別に無線によって駆動制御する１個の本体を有したことを特徴とする請求項１記載の痩身具。
【請求項３】
複数の子機と本体とを収納する収納器を有し、この収納器に充電機能を有したことを特徴とする請求項１又は２記載の痩身具。
【請求項４】
収納器は、充電するために子機を載置したときに、その位置で子機に対し識別符号を付与することを特徴とする請求項３記載の痩身具。
【発明の詳細な説明】
【０００１】
【発明の属する技術分野】
本発明は、許容範囲内の体感刺激を満足させつつ最大限の痩身効果を得ることができ、さらに１個の本体によって適正に複数の子機を制御することができ、広範囲に亘って適正に痩身することが可能な痩身具に関するものである。
【０００２】
【従来の技術】
人体の皮膚に一対の電極を貼着し、一対の電極から、電池や制御機構を備えた本体が出力する低周波のパルス信号を皮膚に付与し、筋肉を運動させる低周波痩身具がある。この低周波痩身具は、基本的には、本体と、この本体から電気的接続用のコードによって繋がれた一対の電極とを有する。
【０００３】
こうした低周波痩身具は、一対の電極から付与される低周波のパルス信号における波形と出力タイミングによって、例えば「揉む」、「叩く」といったように筋肉を運動させることができ、自分で運動したり、人に（エステティックのように）マッサージして貰ったりすることなく、痩身可能である。
【０００４】
しかし、上記した低周波痩身具は、本体と一対の電極をコードで繋いでいる状態であったため、コードが絡まったり、コードを押さえつけたりすることで、断線してしまい故障しやすいといった問題があった。
【０００５】
そこで、従来、一対の電極を一つの子機に一体的に備えると共に、この子機を無線によって制御するようにした無線式低周波痩身具がある。この低周波痩身具は、一対の電極を子機に一体的に備えているので、電極のそれぞれを接続するためのコードが省略されると共に、当該子機を制御するための本体からのコードも省略できるから、コードが絡まったり、コードを押さえつけたりすることで、断線してしまい故障しやすいといった問題点を解消することができる。
【０００６】
【発明が解決しようとする課題】
しかしながら、上記した無線式低周波痩身具は、１個の子機ではその子機の貼着位置周囲しか痩身効果を得ることができず、広範囲にかつ貼着位置の個人差を許容できるように一対の電極のそれぞれを貼着することができないといった問題があった。
【０００７】
そのような場合、単純に子機を増設すればよいのであるが、従来の無線式低周波痩身具は、子機と本体とが対をなしているので、子機を増設した分だけ本体も増えることとなり、また、筋肉を効率よく適正に運動させるためには、順序よく子機を稼働させる必要があるにも拘わらず、単純に子機を増設しただけでは子機を順序よく稼働させることが困難であるといった問題もある。さらに、単純に子機を増設しただけでは、子機ごとに電源管理を行う必要が生じて煩わしいといった問も生じる。
【０００８】
ところで、電気的刺激を与えて痩身する従来の痩身具において、低周波を用いていた理由は、低周波とすることで、敏感である人体の筋肉の表層部へ刺激が与えられ、結果として刺激が与えられているという体感刺激が大きく、痩身効果を使用者が認識できるからである。
【０００９】
低周波痩身具の場合、出力を大きくすれば、筋肉の表層部の刺激が強くなり痩身効果は向上する。その一方、出力を大きくすることで、筋肉の表層部の刺激が強くなるから、当然に体感刺激が大きくなり、「痛み」となって認識されることとなる。
【００１０】
すなわち、低周波を用いた痩身具は、筋肉を運動させるために出力を大きくすると、痛みのみならず、場合によっては皮膚がかぶれたり赤くなったりしてしまうこともあり、痩身効果を向上させることと体感刺激を抑制することとは相容れない条件となっていたのである。
【００１１】
また、筋肉の表層部を刺激することは、体感刺激が大きいから、使用者にしてみればあたかも痩身効果があるように認識されるが、痩身上の効果を考えると、例えば筋肉の運動によって脂肪を燃焼させて痩身効果を図るためには、筋肉の表層部ではなく、筋肉の下層部（最も骨に近い部分の筋肉）から表層部に向けて自然に運動させることが望ましい。
【００１２】
しかし、筋肉の下層部に刺激を与えることは、脂肪を燃焼させるためには効率がよいものの、体感刺激として認識されにくいため、使用者にしてみれば、痩身効果があるようには認識されにくいから、結果として、従来から痩身具又はマッサージ器の類では低周波を用いていたのである。
【００１３】
以上のことから、従来の（無線式）低周波痩身具は、低周波の電気信号出力を大きくして痩身効果をより向上させることは体感刺激が大きくなって痛みが生じる可能性があることから限界があるという問題、及び痩身効果を向上させるには筋肉の下層部から表層部へ向けて自然に運動させることが望ましいが、筋肉の下層部へ刺激を付与しても体感刺激が得られず、使用者を満足させることができないといった問題、が生じていた。
【００１４】
本発明は、上記の問題を解決するためになされたものであり、許容範囲内の体感刺激を満足させつつ最大限の痩身効果を得ることができ、さらに１個の本体によって適正に複数の子機を制御することができ、広範囲に亘って適正に痩身することが可能な痩身具を提供することを目的とする。
【００１５】
【課題を解決するための手段】
上記の目的を達成するために、本発明の痩身具は、電極から中周波信号を出力し、この中周波信号の出力波形のピーク値と低周波信号の立ち上がり途中の値と一致するように低周波信号を出力するようにしたのである。このようにすることで、筋肉の下層部から表層部に亘って筋肉を運動させることが可能になり痩身効果が向上し、かつ適度な体感刺激を与えることができる。
【００１６】
また、本発明の痩身具は、一対の電極を一体的に有すると共にそれぞれに識別符号を有した子機を複数有し、これら子機を全体的にあるいは個別に無線によって駆動制御する１個の本体を有したのである。このようにすることで、複数の子機を１個の本体で駆動制御することができ、従って広範囲に適正に子機を駆動させることができると共に、無線式とすることで複数の子機を任意の箇所に貼着することができる。
【００１７】
【発明の実施の形態】
本発明の痩身具は、人体の皮膚に一対の電極を貼着して筋肉を運動させる痩身具において、電極から中周波信号を出力し、この中周波信号の出力波形のピーク値と低周波信号の立ち上がり途中の値と一致するように低周波信号を出力するようにしたものである。
【００１８】
上記構成において、低周波は一般的には１０００Ｈｚ以下の帯域の周波数を意味し、人体の皮膚に付与した場合は、皮膚の表面下（筋肉の表層部）２ｍｍ程度に横に拡がりつつ浸透する特性を有する。従って、筋肉の表層部を刺激するには最も効果的であり、かつ敏感な筋肉の表層部に刺激が加わるから体感刺激を得やすい。
【００１９】
上記の反面、低周波は、体感刺激を得やすいから、低周波の帯域において実際に使用可能な帯域は１〜２００Ｈｚであり、出力を大きくすれば、上記した筋肉の表層部での痩身効果は向上するが、皮膚に痛みが伴うといった特性も有する。
【００２０】
中周波は、一般的には１０００〜５０００Ｈｚの帯域の周波数を意味し、人体の皮膚へ付与した場合は、皮膚の表面下（筋肉の下層部）２〜５ｃｍ程度に横に拡がることなく浸透する特性を有する。従って、筋肉の下層部を刺激するには最も効果的であり、出力を大きくしても皮膚に刺激を与えることがない。
【００２１】
上記の反面、中周波は、筋肉の表層部を刺激しないから、体感刺激を得にくく、使用による心理的な痩身効果を得にくいといった特性も有する。
【００２２】
ちなみに、高周波は、一般的には５０００Ｈｚ以上の帯域の周波数を意味し、人体の皮膚へ付与した場合は、皮膚の表面下１５ｃｍ程度に横に拡がることなく浸透する特性を有し、また、皮膚に刺激を与えることがないが、その反面、皮膚の組織にかかる負担が大きいという特性を有する。
【００２３】
よって、高周波は、皮膚の表面下１５ｃｍまで浸透させる必要がないことと、皮膚組織にかかる負担が大きいことから痩身器具には適さない。
【００２４】
本発明の痩身具は、体感刺激を損なうことなく痩身効果を向上させることを目的としているから、痩身効果自体の向上としては中周波を中心に考えればよく、体感刺激を維持することについては低周波を中心に考えればよいが、以下に説明する信号出力と筋肉の効率の良い運動を考慮すると、山状とされた出力波形について、出力波形の全体の立ち上がり時には中周波信号を先に出力し、この中周波信号の出力波形のピーク値と低周波信号の立ち上がり途中の値と一致するように低周波信号を出力すればよいのである。
【００２５】
上記で、中周波信号を先に出力する理由は、次のとおりである。筋肉運動は一般的には内側（筋肉の下層部）から外側（筋肉の表層部）に向かって生じ、この筋肉運動によって痩身効果の一つである脂肪の燃焼が生じるが、筋肉の表層部（低周波信号）のみでも下層部（中周波信号）のみでも筋肉が通常の運動を行っているとは言えず、結果として脂肪の燃焼効果は低い。
【００２６】
以上の理由から、中周波信号を低周波信号より先に出力するのであり、このようにすることで、筋肉を下層部から表層部に向けて全体的にかつ自然に運動させることができ、脂肪を効率よく燃焼させることができるようになる。
【００２７】
また、上記で、中周波信号の出力波形のピーク値と低周波信号の立ち上がり途中の値と一致するように低周波信号を出力する理由は、次の通りである。皮膚に付与する電気信号の出力波形を上記したように山状としたときには、中周波信号が完全に立ち下がって時間が経過してから低周波信号を出力すると、筋肉の下層部から表層部への連続的な自然な運動が生じない。従って、中周波信号の出力波形のピーク値と低周波信号の立ち上がり途中の値と一致するように低周波信号を出力するのであり、このようにすることで、筋肉の下層部と表層部とを分離することなく筋肉全体を連続的にかつ自然に運動させることができるのである。
【００２８】
中周波信号の出力波形のピーク値と低周波信号の立ち上がり途中の値と一致するように低周波信号を出力すれば、中周波信号の立ち下がり直後に較べてより自然に筋肉全体を運動させることができ、自然に筋肉全体を運動させることができるようになる。
【００２９】
このように、本発明の痩身具は、中周波信号の出力波形のピーク値と低周波信号の立ち上がり途中の値と一致するように低周波信号を出力することで、体感刺激を損なうことなく、筋肉を下層部と表層部を分けることなく連続して自然にかつ全体的に運動させることができ、許容範囲内の体感刺激を満足させつつ最大限の痩身効果を得ることができる。
【００３０】
また、本発明の痩身具は、上記構成において、一対の電極を一体的に有すると共にそれぞれに識別符号を有した子機を複数有し、これら子機を全体的にあるいは個別に無線によって駆動制御する１個の本体を有したものである。
【００３１】
上記構成において、本体によって子機を全体的に駆動制御するとは、複数の子機全てを皮膚に貼着したときに複数の子機全てを、予め用意した又は任意の順番通りに、あるいは一斉に駆動制御することを意味する。一方、本体によって子機を個別に駆動制御するとは、複数の子機から選択的に皮膚に貼着したときに、これら選択的に貼着した子機のみを個別に駆動制御することを意味する。
【００３２】
このようにすることで、１個の本体によって複数の子機を制御することができ、また、無線式とすることで、複数の子機のそれぞれ、及び複数の子機と本体とを接続するコードを省略することができるから、コードが絡まったり断線することがなくなり、また、１個の本体によって適正に複数の子機を制御することができ、広範囲に亘って適正に痩身することが可能となる。
【００３３】
また、本発明の痩身具は、上記構成において、複数の子機と本体とを収納する収納器を有し、この収納器に充電機能を有したものである。
【００３４】
子機が複数になるということは、子機のそれぞれを管理する手間がかかる可能性があり、そうした管理の手間を省く意味でも本発明の痩身具においては、子機には識別符号を付与しているのであり、また、子機と本体とを一体的に収納する収納器を備えているのである。
【００３５】
本体と子機は、共に電源供給されることで駆動可能となるが、特に複数の子機それぞれに使い捨ての乾電池を内蔵することとすると、子機が複数あることから、乾電池が非常に多数必要になると共に、消費した乾電池を子機ごとに取り替える手間も生じる。
【００３６】
そこで、上記構成のように、収納器に充電機能を有することで、使用後に本体と複数の子機とを収納器に収納すれば管理が行えると共にこの収納器で本体と複数の子機全てが充電されるから、乾電池を多数要することもなく、子機の電源不足を心配する必要がなくなる。
【００３７】
また、本発明の痩身具は、上記構成において、収納器が、充電するために子機を載置したときに、その位置で子機に対し識別符号を付与するものである。
【００３８】
上記構成では、子機を収納と充電のために収納器に載置したときには、その載置箇所から子機に対して識別符号を付与するのである。例えば、使用時に「３」という識別符号が付与されていた子機を収納器に収納したとき、その載置箇所が「５」であれば、使用時に「３」という識別符号が付与されていた子機に今度は「５」という識別符号を付与する。
【００３９】
このようにすることで、子機を収納器へ収納するときは、子機の識別符号を意識しなくてもよくなり、つまり適当に子機を収納してもその収納箇所において子機に適正な識別符号が付与されるから、次回の使用時に収納箇所の識別番号に基づいて皮膚に貼着すれば、本体から意図通りに子機を駆動させることができる。
【００４０】
【実施例】
以下に本発明の痩身具の実施例について図面を参照して説明する。
図１は本発明の痩身具の全体を示す。図２は本発明の痩身具の子機を示す。図３は本発明の痩身具の本体を示す。図４は本発明の痩身具の収納器を示す。図５は本発明の痩身具におけるエレクトリック・マッスル・シュミレーションモードで子機を制御したときの状況を示す。
【００４１】
１は、本発明の痩身具であり、この痩身具１は、例えば本実施例では８個の子機２と、これら８個の子機２を駆動操作するための１個の本体３と、この本体３及び８個の子機を収納すると共に充電を行いかつ本実施例では子機２に識別符号を付与する収納器４とからなる。
【００４２】
子機２は、図２に詳細に示すように、表面側に子機表示部２ａが設けられており、この子機表示部２ａでは、子機２を収納器４の収納箇所に載置したときに、収納器４から送信される識別符号の信号、例えば１〜８のいずれかが表示されるようになっている。
【００４３】
また、子機２は、子機表示部２ａの近傍にインジケータ２ｂが設けられており、このインジケータ２ｂは、例えば信号パターンモードに応じて皮膚に信号を付与しているときにはインジケータ２ｂが点滅したり点灯したりするようになっている。
【００４４】
さらに、子機２は、その表面側に、本体３からの制御信号を受信するための受信部２ｃが設けられいる。また、子機２は、その端部に充電用端子２ｄが設けられており、この充電用端子２ｄを、後述する収納器４において子機２を収納する部位に設けられた給電用端子４ｃに接触させることで、子機２が充電されるようになっている。
【００４５】
また、子機２は、裏面側に一対の電極２ｅ，２ｅを有しており、この一対の電極２ｅ，２ｅは、後述するパッド２Ａを取り付けるための接続部を兼ねている。パッド２Ａは、接続部２Ｂ，２Ｂが電極２ｅ，２ｅに取り付けられることで、電気的に接続した状態となる。
【００４６】
また、パッド２Ａは、表面側に、電極間を絶縁部２Ｃによって絶縁した導電粘着剤２Ｄが塗布され、この導電粘着剤２Ｄによって子機２全体を皮膚に貼着することができ、電極２ｅ，２ｅからの電気信号を皮膚に付与することができるのである。
【００４７】
すなわち、子機２は、１個につき一対の電極２ｅ，２ｅを有しているから子機２を１個だけ皮膚に貼着しても使用が可能である。また、一対の電極２ｅ，２ｅに対して導電粘着剤２Ｄを塗布したパッド２Ａを設けることで、このパッド２Ａが人体の曲面部でも密着し、確実に信号を付与することができるのである。
【００４８】
本体３は、図３に詳細に示すように、表面側に、例えば子機２を選択するセレクトボタン３ａ、後述する皮膚に付与する信号パターンモードを選択するモードボタン３ｂ、信号の強弱を変更する強さボタン３ｃ、子機２の駆動時間を設定するタイマーボタン３ｄ、及び駆動オン・オフを切り替えるスタートストップボタン３ｅを設けている。
【００４９】
また、本体３においてボタン３ａ〜３ｅが設けられた面には、各ボタン３ａ〜３ｄの状態を使用者に視認させるためのセレクト表示部３ｆ、モード表示部３ｇ、強さ表示部３ｈ、及びタイマー表示部３ｉが各々形成されている。
【００５０】
セレクト表示部３ｆでは、セレクトボタン３ａを押して順次送った番号を表示する。子機２の選択は、任意の子機２を表示させたときに例えばスタートストップボタン３ｅを押すことで行うようになっている。
【００５１】
モード表示部３ｇでは、後述する子機２の信号パターンモード、例えば本実施例では、ドレナージュ、トーニング、エレクトリック・マッスル・シュミレーション、マニュアル、オートの文字の横のインジケータが点灯する。信号パターンモードは、モードボタン３ｂを押すことで各モードを変更することができるようになっている。
【００５２】
強さ表示部３ｈでは、皮膚に付与される信号の強度が度数で表示される。信号の強弱は、強さボタン３ｃを押すことで、例えば１〜１０の段階に設定することができるようになっている。
【００５３】
タイマー表示部３ｉでは、例えば５分刻みの数字が表示される。タイマー設定は、タイマーボタン３ｄを押すことで行う。本実施例では、例えば０（スタートストップボタン３ｅによって駆動させたとき）〜６０分までの設定が可能となっている。
【００５４】
また、本体３は、その一部に、例えば本実施例ではスタートストップボタン３ｅ側の側端面に、充電用端子３ｊを備えており、この充電用端子３ｊを後述する収納器４において本体３を収納する部位に設けられた給電用端子４ｄに接触させることで、本体３が充電されるようになっている。
【００５５】
また、本体３は、上記充電用端子３ｊとは反対の端部に、子機２へ制御用信号を出力するための送信部３ｋが設けられている。
【００５６】
収納器４は、上記したように、子機２の各々と本体３とを収納可能なように凹状の子機収納部４ａと、本体収納部４ｂとが形成されている。そして、子機収納部４ａと本体収納部４ｂのそれぞれには、上記した給電用端子４ｃ，４ｄが設けられている。
【００５７】
また、収納器４は、図４に詳細に示すように、各々の子機収納部４ａの近傍にインジケータ４ｅを設けており、このインジケータ４ｅは、例えば子機２へ給電中であるときに点灯し、給電（充電）が完了したときに消灯するようになっている。
【００５８】
そして、本実施例における収納器４は、上記した給電用端子４ｃ，４ｄが子機２へ識別符号を付与するための信号を送信するための端子をも兼ねており、子機２を子機収納部４ａに載置すると、その子機収納部４ａの識別符号が送信されると共に充電も開始されるようになっている。
【００５９】
以上の構成とされた痩身具１は、本体３からの信号パターンモード（ドレナージュ、トーニング、エレクトリック・マッスル・シュミレーション、マニュアル、オート）によって、子機２から皮膚へと、次のように信号を付与するようになっている。
【００６０】
すなわち、ドレナージュパターンモードは、リンパマッサージと共に筋収縮によって脂肪を燃焼させるべく、皮膚表面から低周波信号を付与して、この低周波信号の刺激を横へと拡がらせ、かつ低周波信号の出力を除々に大きくし、強さボタン３ｃで設定した出力をピークとしてまた除々に下げるといった制御を行う。
【００６１】
また、トーニングパターンモードは、上記と同様リンパマッサージと共に脂肪を燃焼させるべく、皮膚に低周波信号を付与して、この低周波信号の刺激を横へと拡がらせるが、ドレナージュパターンモードと違う点は、細かい低周波パルス信号を急激に立ち上げ、急激に立ち下げるといった制御を行う点である。
【００６２】
上記したドレナージュ及びトーニングパターンモードは、従来の低周波痩身具や低周波治療器などで使用されるいわゆる「揉む」や「叩く」を電気的に行うものであるから、特段新規な制御ではない。本発明の痩身具１は、エレクトリック・マッスル・シュミレーションを採用することで従来にはない格別な効果を得ることができる点が大きな特徴となっている。
【００６３】
すなわち、エレクトリック・マッスル・シュミレーションパターンモードは、図５（ａ）に示すように、除々に立ち上がり除々に立ち下がるt0秒の山状とされた出力波形において、出力波形の全体の立ち上がり時t1秒だけ中周波信号Ｐ１を先に除々に出力し、この中周波信号Ｐ１の出力波形のピーク値と低周波信号の立ち上がり途中の値と一致するように低周波信号Ｐ２をt2秒だけ除々に立ち上げて出力する。
【００６４】
例えばこのエレクトリック・マッスル・シュミレーションパターンモードとすることで、図５（ｂ）に示すように、t1秒すなわち中周波信号Ｐ１が付与されているときは、筋肉の下層部に信号が浸透し、中周波信号Ｐ１の出力波形のピーク値と低周波信号の立ち上がり途中の値と一致するように低周波信号Ｐ２が出力されるにつれて除々に信号が筋肉の表層部に移行し、筋肉の下層部と表層部とを分離することなく連続して筋肉全体を自然に運動させることができる。
【００６５】
このようにすることで、低周波信号によって体感刺激を得ることができ、中周波信号によって痩身効果を向上させることができるようになる。このエレクトリック・マッスル・シュミレーションパターンモードが、所定の順番で駆動される複数の子機２で行われることで、上記したドレナージュ：「揉む」やトーニング：「叩く」とは異なる「捻る」という効果を得ることができるようになる。
【００６６】
マニュアルパターンモードは、任意の子機２を選択し、また任意の上記したドレナージュ、トーニング、エレクトリック・マッスル・シュミレーションのいずれかの信号パターンモードを選択して子機２を駆動することを意味する。このようにすることで、使用者の好みに応じた使用が可能となる。
【００６７】
オートパターンモードは、任意に選択した又は全ての子機２を使用し、またそれらの子機２をドレナージュ、トーニング、エレクトリック・マッスル・シュミレーションの信号パターンモードを順番にあるいは本体２で決定したいずれかのみ又は順に子機２を駆動することを意味する。このようにすることで、何ら煩わしい設定を行うことなく使用することが可能となる。
【００６８】
次に本発明の痩身具１の使用について説明する。痩身具１を使用するときは、収納器４から子機２を選択してあるいは全てを取り出し、取り出した子機２をパッド２Ａによって皮膚に貼着する。子機２の貼着は、例えばマニュアルに記載した最も効率の良い貼着部位を参照してもよいし、使用者の任意でもよい。
【００６９】
その後、本体２の表示部３ｆ〜３ｉを確認しつつボタン３ａ〜３ｄを操作して任意の設定を行い、スタートストップボタン３ｅを押すと、本体３の送信部３ｋから子機２の各々の受信部２ｃへ制御用の信号が送信され、子機２が設定したように制御されて筋肉を運動させる。
【００７０】
設定した時間が経過しない途中にスタートストップボタン３ｅを押すと子機２の駆動が停止するが、スタートストップボタン３ｅを押さないときは設定した時間が経過した後、子機２の駆動が停止する。
【００７１】
使用が終了したとき、本体３は収納器４の本体収納部４ｂに収納する。一方、複数の子機２は、いま使用した子機２の識別符号（子機表示部２ａに表示されている）通りに収納器４の子機収納部４ａに収納してもよいが、ランダムに収納してもよい。
【００７２】
すなわち、本発明の痩身具１は、収納器４の子機収納部４ａに子機２を収納したときに、収納器４の給電用端子４ｃから子機２の充電用端子２ｄを介してその子機収納部４ａの識別符号を送信して付与するようにしているからである。
【００７３】
よって、例えば、いま使用時に識別符号が「３」であった子機２を、「８」の識別符号を付与する収納器４の子機収納部４ａに収納することで、当該子機２は、以降識別符号が「８」に変更されるのである。
【００７４】
このようにすることで、子機２の収納について逐一子機収納部４ａと子機２の識別符号とを揃える必要がなくなり管理しやすくなる。そして、子機２を収納器４の子機収納部４ａに、本体３を収納器４の本体収納部４ｂに各々収納すると、収納器の給電用端子４ｃ，４ｄから子機２の充電用端子２ｄ、本体３の充填用端子３ｊを介して子機２及び本体３へ充電が開始される。
【００７５】
なお、本実施例では、子機２及び本体３への過充電による充電容量の低下を抑制することと、消費電力を抑制するために、子機２及び本体３の各々が所定の充電容量を満たしたときに充電を停止するようにしている。
【００７６】
【発明の効果】
以上のように、本発明の請求項１に係る痩身具は、電極から中周波信号を出力し、この中周波信号の出力波形のピーク値と低周波信号の立ち上がり途中の値と一致するように低周波信号を出力するようにしたので、体感刺激を損なうことなく、筋肉を下層部と表層部を分けることなく自然にかつ全体的に運動させることができ、許容範囲内の体感刺激を満足させつつ脂肪を効率よく燃焼させることができる。
【００７７】
また、本発明の請求項２に係る痩身具は、上記構成において、一対の電極を一体的に有すると共にそれぞれに識別符号を有した子機を複数有し、これら子機を全体的にあるいは個別に無線によって駆動制御する１個の本体を有したので、１個の本体によって複数の子機を制御することができ、また、無線式とすることで、複数の子機のそれぞれ、及び複数の子機と本体とを接続するコードを省略することができるから、コードが絡まったり断線することがなくなり、また、１個の本体によって適正に複数の子機を制御することができ、広範囲に亘って適正に痩身することが可能となる。
【００７８】
また、本発明の請求項３に係る痩身具は、上記構成において、複数の子機と本体とを収納する収納器を有し、この収納器に充電機能を有したので、管理が行えると共にこの収納器で本体と複数の子機全てが充電されるから、乾電池を多数要することもなく、子機の電源不足を心配する必要がなくなる。
【００７９】
また、本発明の請求項４に係る痩身具は、請求項３の構成において、収納器が、充電するために子機を載置したときに、その位置で子機に対し識別符号を付与するようにしたので、子機を収納器へ収納するときは、子機の識別符号を意識しなくてもよくなり、次回の使用時に収納箇所の識別番号に基づいて皮膚に貼着すれば、本体から意図通りに子機を駆動させることができる。
【図面の簡単な説明】
【図１】本発明の痩身具の全体構成を概略的に示す図である。
【図２】本発明の痩身具における子機を示し、（ａ）は表面側から見た図、（ｂ）は裏面側から見た図、である。
【図３】本発明の痩身具における本体を示す図である。
【図４】本発明の痩身具における収納器を示す図である。
【図５】本発明の痩身具におけるエレクトリック・マッスル・シュミレーションパターンモードについて、（ａ）は信号の出力タイミングを、（ｂ）は中周波信号と低周波信号の筋肉の浸透状況を、それぞれ説明するための図である。
【符号の説明】
１  痩身具
２  子機
２ａ  子機表示部
２ｃ  受信部
２ｄ  充電用端子
２ｅ  電極
２Ａ  パッド
２Ｃ  絶縁部
２Ｄ  導電粘着剤
３  本体
３ａ  セレクトボタン
３ｂ  モードボタン
３ｆ  セレクト表示部
３ｇ  モード表示部
３ｊ  充電用端子
３ｋ  送信部
４  収納器
４ａ  子機収納部
４ｂ  本体収納部
４ｃ  給電用端子（識別番号付与用の信号出力端子を兼ねる）
４ｄ  給電用端子
【図１】
0003616750.tif 000002
【図２】
0003616750.tif 000003
【図３】
0003616750.tif 000004
【図４】
0003616750.tif 000005
【図５】
0003616750.tif 000006